(57)【特許請求の範囲】
【請求項１】
無線通信ネットワークにおいて、１つまたは複数の追加キャリアを要求するための方法であって、携帯機器で実行される方法は、
１つまたは複数のキャリアを通じてアクセスポイントと通信するステップと、
１つまたは複数の通信パラメータにおける変化を、当該通信パラメータの為のしきい値に対して検出するステップであって、前記１つまたは複数の通信パラメータが前記アクセスポイントへ伝えるデータを格納するバッファのレベルを具備し、前記バッファの前記レベルに対する前記しきい値が携帯機器ユーザの加入タイプと関連している、検出するステップと、
前記検出された変化に少なくとも基づいて、また、前記１つまたは複数の追加キャリアを要求することが禁止されているキャリア要求禁止時間と現在の時間を比較することに少なくとも基づいて、前記アクセスポイントからの１つまたは複数の追加キャリアを要求するステップと、
を備える、方法。
【請求項２】
前記バッファがプロトコル層にあり、前記１つまたは複数のキャリアを通じて伝送するためにアプリケーションからデータを受信する、請求項１に記載の方法。
【請求項３】
インターフェースを介して前記プロトコル層から前記バッファレベルを受信することをさらに備える、請求項２に記載の方法。
【請求項４】
前記１つまたは複数の通信パラメータが、現在の電力増幅器（ＰＡ）のヘッドルームをさらに備え、前記しきい値が、前記１つまたは複数の追加キャリアを要求するために必要とされる最小ＰＡヘッドルームである、請求項１に記載の方法。
【請求項５】
前記キャリア要求禁止時間が、前記１つまたは複数の追加キャリアを求める先の要求に応じて、前記アクセスポイントによって指定される、請求項１に記載の方法。
【請求項６】
前記アクセスポイントから１つまたは複数の追加キャリアを要求することがさらに、現在使用されているキャリアの数を許容されるキャリアの最大数と比較することに少なくとも基づいている、請求項１に記載の方法。
【請求項７】
前記１つまたは複数の通信パラメータが、前記アクセスポイントと通信する際にアプリケーション層とプロトコル層とでそれぞれ測定された流入データレートと流出データレートとの間の比較を備える、請求項１に記載の方法。
【請求項８】
前記流入および流出データレートが、現在のデータレートと過去のデータレートとの間の比較に少なくとも基づいて計算される、請求項７に記載の方法。
【請求項９】
前記比較のための前記しきい値が、移動機器ユーザの加入タイプに関連し、より高いレベルの加入者が、より低いレベルの加入者より低いしきい値の比較値に関連する、請求項７に記載の方法。
【請求項１０】
前記アクセスポイントから前記１つまたは複数の追加キャリアを受信すること、前記アクセスポイントとのおよびその後の通信において前記１つまたは複数の追加キャリアを利用することをさらに備える、請求項１に記載の方法。
【請求項１１】
前記アクセスポイントと通信することが、ＥＶ−ＤＯ（evolution data optimized）ネットワークを通じて行われる、請求項１に記載の方法。
【請求項１２】
請求項１から１１のいずれかの前記ステップを実行するように構成された少なくとも１つのプロセッサと、
前記少なくとも１つのプロセッサに結合されたメモリと、
を備える、無線通信装置。
【請求項１３】
無線ネットワークを通じて追加キャリアを要求することを容易にする無線通信装置であって、
１つまたは複数の割り当てられたキャリアを通じてアクセスポイントと通信するための手段と、
関連するしきい値に対して１つまたは複数の通信パラメータの変化を特定し、その間は前記１つまたは複数の追加キャリアを要求することが禁止されるキャリア要求禁止時間の有効期限を確認するための手段であって、前記１つまたは複数の通信パラメータが、前記アクセスポイントと通信するためのデータを格納するプロトコル層のバッファのレベルから構成され、前記関連するしきい値が、前記装置のユーザの加入レベルと関連する、確認するための手段と、
前記変化に少なくとも基づいて前記アクセスポイントから少なくとも１つの追加キャリアを要求するための手段と、
を備える、無線通信装置。
【請求項１４】
請求項１から１１のいずれかの前記ステップを実行するために少なくとも１つのコンピュータ上で実行可能なコードを備えるプログラムが格納されているコンピュータ可読記録媒体。
【請求項１５】
１つまたは複数の割り当てられたキャリアを通じてアクセスポイントと通信するための前記手段がトランシーバであり、
関連するしきい値に対して１つまたは複数の通信パラメータの変化を特定するための前記手段が、通信パラメータ・エバリュエータであり、
前記変化に少なくとも基づいて前記アクセスポイントから少なくとも１つの追加キャリアを要求するための前記手段がキャリア・リクエスタである請求項１３に記載の装置。
【請求項１６】
前記１つまたは複数の通信パラメータがさらに、現在の電力増幅器（ＰＡ）のヘッドルームを備え、前記それぞれのしきい値が前記１つまたは複数の追加キャリアを要求するために必要とされる最小ＰＡヘッドルームである、請求項１５に記載の装置。
【請求項１７】
前記通信パラメータ・エバリュエータがさらに、その間は前記１つまたは複数の追加キャリアを要求することが禁止される前記キャリア要求の障害タイマの有効期限を確認する、請求項１６に記載の装置。
【請求項１８】
前記１つまたは複数の通信パラメータがさらに、現在使用されているキャリア数を備え、前記それぞれのしきい値が、前記アクセスポイントによって許容されるキャリアの最大数である、請求項１７に記載の装置。
【請求項１９】
前記１つまたは複数の通信パラメータが、前記アクセスポイントと通信している前記装置のアプリケーション層とプロトコル層とで測定された流入データレートと流出データレートとの間の比較を備える、請求項１５に記載の装置。
【請求項２０】
前記アプリケーション層から少なくとも前記流入データレートを受信するための移動体インターフェースをさらに備える、請求項１９に記載の装置。
【請求項２１】
前記通信パラメータ・エバリュエータが、現在および過去のデータレートに少なくとも基づいて前記流入および流出データレートを計算する、請求項１９に記載の装置。
【請求項２２】
より高いレベルの加入者がより低いレベルの加入者より低いしきい値に関連する、請求項１９に記載の装置。
【発明の詳細な説明】
【技術分野】
【０００１】
関連出願への相互参照
本特許出願は、２００７年１０月５日に出願され、本譲受人に譲渡されて本明細書に参照により明白に組み込まれた「ＭＥＴＨＯＤ  ＡＮＤ  ＡＰＰＡＲＡＴＵＳ  ＦＯＲ  ＴＲＩＧＧＥＲＩＮＧ  ＭＵＬＴＩ−ＣＡＲＲＩＥＲ  ＲＥＱＵＥＳＴＳ」という名称の仮出願第６０／９７８，０７３号に基づく優先権を主張する。
【０００２】
以下の記載は、概して無線通信に関し、より詳細には無線通信ネットワークにおけるマルチキャリアの要求をトリガすることに関する。
【背景技術】
【０００３】
無線通信システムは、例えば音声、データなどの様々なタイプの通信コンテンツを提供するために、広く配備されている。典型的な無線通信システムは、利用可能なシステムリソース（例えば帯域幅、送信電力、．．．）を共有することによって複数のユーザとの通信をサポートすることができる多元接続システムとすることができる。このような多元接続システムの例には、符合分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどが含まれる。またシステムは、第三世代パートナーシップ・プロジェクト（３ＧＰＰ）、３ＧＰＰロングターム・エボリューション（ＬＴＥ）、ウルトラ・モバイル・ブロードバンド（ＵＭＢ）などの仕様、および／またはＥＶ−ＤＯ（evolution data optimized）などのマルチキャリアの無線仕様、その１つまたは複数の改訂他に準拠することができる。
【０００４】
一般に、無線多元接続通信システムは、複数の移動機器の通信を同時にサポートすることができる。各移動機器は、順方向リンクおよび逆方向リンク上の伝送によって１つまたは複数の基地局と通信することができる。順方向リンク（またはダウンリンク）は、基地局から移動機器への通信リンクを指し、逆方向リンク（またはアップリンク）は、移動機器から基地局への通信リンクを指す。さらに、移動機器と基地局の間の通信は、単入力単出力（ＳＩＳＯ）システム、多入力単出力（ＭＩＳＯ）システム、多入力多出力（ＭＩＭＯ）システムなどによって確立されることが可能である。また、移動機器は、ピアツーピアの無線ネットワーク構成で他の移動機器と（および／または基地局は他の基地局と）通信することができる。
【０００５】
ＭＩＭＯシステムは、一般にデータ伝送に複数（ＮＴ）の送信アンテナおよび複数（ＮＲ）の受信アンテナを使用する。アンテナは、基地局と移動機器の両方と関わることができ、１つの例では、無線ネットワーク上の機器間で双方向通信を可能にする。マルチキャリアのシステムでは、複数のアンテナの１つまたは複数を通じた通信のために複数のキャリアが割り当てられて、それを通じた同時通信を容易にすることが可能であり、これが本質的にこのマルチキャリアを使用する機器間の通信スループットを増大させる。基地局は、通信が確立されると、移動機器に複数のキャリアを割り当てることができる。
【発明の概要】
【０００６】
以下は、このような実施形態を基本的に理解できるように、１つまたは複数の実施形態の簡潔な要約を提示する。この要約は、検討されるすべての実施形態の包括的な概要ではなく、またすべての実施形態の鍵となる要素もしくは決定的要素を明らかにするものでも、あらゆるすべての実施形態の範囲を説明するものでもない。その唯一の目的は、後に示すより詳細な説明への前置きとして、１つまたは複数の実施形態のいくつかの概念を簡単な形で提示することである。
【０００７】
１つまたは複数の実施形態およびその対応する開示に従って、マルチキャリアの割当て要求をトリガすることを容易にすることに関連して、様々な態様を説明する。１つの例では、移動機器は、バッファレベル、流入／流出の比較、ＰＡヘッドルーム、追加キャリアを要求するためのタイマ、および／または同様のものなど、１つまたは複数の通信パラメータの変化に少なくとも部分的に基づいて、アクセスポイントから追加キャリアを要求することができる。１つまたは複数の通信パラメータは、追加キャリアが要求されるべきかどうかを判断するために、しきい値と比較されることが可能である。さらに、アクセスポイントは、例えば移動機器の加入者のレベル、逆方向リンクの活動、および／または同様のものなど、追加的な考慮すべき事項に少なくとも部分的に基づいて、要求を受信すると追加のキャリアを承諾することができる。
【０００８】
関連する態様によれば、無線通信ネットワークにおいて１つまたは複数の追加キャリアを要求するための方法が提供される。この方法は、１つまたは複数のキャリアを通じてアクセスポイントと通信することと、１つまたは複数の通信パラメータの変化を、この通信パラメータのしきい値に対して検出することとを備えることができる。この方法はさらに、検出した変化に少なくとも部分的に基づいてアクセスポイントから１つまたは複数の追加キャリアを要求することを含むことができる。
【０００９】
別の態様は、無線通信装置に関する。この無線通信装置は、少なくとも１つの割り当てられたキャリアを通じて基地局と通信するように、および１つまたは複数の通信パラメータを監視してこの１つまたは複数の通信パラメータのしきい値に対する変化を検出するように構成された少なくとも１つのプロセッサを含むことができる。このプロセッサはさらに、検出した変化に少なくとも部分的に基づいて基地局から追加キャリアの割当てを要求するように構成されている。この無線通信装置はさらに、少なくとも１つのプロセッサに結合されたメモリを備える。
【００１０】
さらに別の態様は、無線ネットワークを通じて追加キャリアを要求することを容易にする無線通信装置に関する。無線通信装置は、１つまたは複数の割り当てられたキャリアを通じてアクセスポイントと通信するための手段と、関連するしきい値に対して１つまたは複数の通信パラメータの変化を特定するための手段とを備えることができる。この無線通信装置はさらに、この変化に少なくとも部分的に基づいてアクセスポイントから少なくも１つの追加キャリアを要求するための手段を含むことができる。
【００１１】
さらに別の態様は、コンピュータ・プログラム製品に関し、これは、少なくとも１つのコンピュータが１つまたは複数のキャリアを通じてアクセスポイントと通信するようにするためのコードを、コンピュータ可読媒体が含むようにすることができる。コンピュータ可読媒体はまた、少なくとも１つのコンピュータが１つまたは複数の通信パラメータの変化を通信パラメータのしきい値に対して検出するようにするためのコードを備えることもできる。さらにコンピュータ可読媒体は、少なくとも１つのコンピュータが、検出した変更に少なくとも部分的に基づいてアクセスポイントから１つまたは複数の追加キャリアを要求するようにするためのコードを備えることができる。
【００１２】
別の態様は、装置に関する。この装置は、１つまたは複数のキャリアを通じてアクセスポイントと通信することを容易にするトランシーバと、それぞれのしきい値との比較に少なくも部分的に基づいて１つまたは複数の通信パラメータの変化を特定する通信パラメータ・エバリュエータとを備える。さらにこの装置は、特定した変化に少なくとも部分的に基づいてアクセスポイントから追加キャリアを要求するキャリア・リクエスタを備える。
【００１３】
さらなる態様により、無線通信ネットワークにおいて追加キャリアを割当てることを容易にする方法が提供される。この方法は、移動機器から少なくとも１つの追加キャリアの割当てを求める要求を受信することと、この移動機器の加入レベルを特定することとを含む。さらにこの方法は、この加入レベルおよび利用可能なリソースに少なくとも部分的に基づいて、移動機器に追加キャリアを割り当てることを含む。
【００１４】
別の態様は、無線通信装置に関する。この無線通信装置は、１つまたは複数の割り当てられたキャリアを通じて移動機器と通信するように、および移動機器から追加キャリアの割当てを求める要求を受信するように構成された少なくとも１つのプロセッサを含むことができる。さらにプロセッサは、この要求、特定した移動機器の加入レベル、および利用可能なリソースに少なくとも部分的に基づいて移動機器に追加キャリアを割り当てるように構成されている。無線通信装置はさらに、少なくとも１つのプロセッサに結合されたメモリを備える。
【００１５】
さらに別の態様は、追加キャリアを１つまたは複数の移動機器に割り当てるための無線通信装置に関する。この無線通信装置は、移動機器から追加キャリアの割当てを求める要求を受信するための手段と、移動機器の加入レベルを受信するための手段とを備えることができる。この無線通信装置はさらに、加入レベルに少なくとも部分的に基づいて移動機器に追加キャリアを割り当てるための手段を含むことができる。
【００１６】
また別の態様は、コンピュータ・プログラム製品に関し、これは、少なくとも１つのコンピュータが移動機器から少なくとも１つの追加キャリアの割当てを求める要求を受信するようにするためのコードを、コンピュータ可読媒体が含むようにすることができる。このコンピュータ可読媒体は、少なくとも１つのコンピュータが移動機器の加入レベルを特定するようにするコードを備えることもできる。さらに、コンピュータ可読媒体は、少なくとも１つのコンピュータが加入レベルおよび利用可能なリソースに少なくとも部分的に基づいて移動機器に追加キャリアを割り当てるようにするコードを備えることができる。
【００１７】
別の態様は、装置に関する。この装置は、１つまたは複数の割り当てられたキャリアを通じて移動機器と通信して、移動機器から追加キャリアを求める要求を受信するトランシーバと、移動機器の加入レベルを特定する加入レベル検出器とを備える。さらにこの装置は、加入レベルおよび利用可能なリソースに少なくとも部分的に基づいて移動機器に追加キャリアを割り当てるキャリア・アロケータを備える。
【００１８】
前述の目的および関連する目的を達成するために、１つまたは複数の実施形態は、以下に十分に説明し、特許請求の範囲の中で個々に指摘する特徴を備える。次の説明および付属の図面は、１つまたは複数の実施形態のある実例となる態様を詳細に示す。しかしながらこれらの態様は、様々な実施形態の原理を用いることができる様々な方法のほんの数例を示すものであり、記載する実施形態はこのようなすべての態様およびその均等物を含むものとする。
【図面の簡単な説明】
【００１９】
【図１】本明細書に示した様々な態様に従った無線通信システムを示す図。
【図２】無線通信環境の中で使用される例示的通信装置の説明図。
【図３】無線機器に追加キャリアを割り当てることを実施する例示的無線通信システムの説明図。
【図４】無線通信において追加キャリアを要求することを容易にする例示的方法の説明図。
【図５】追加キャリアを要求するかどうかの決定を容易にする例示的方法の説明図。
【図６】追加キャリアの要求を承諾することまたは拒否することを容易にする例示的方法の説明図。
【図７】無線通信において追加キャリアを要求することを容易にする例示的移動機器の説明図。
【図８】追加キャリアの要求に応じる例示的システムの説明図。
【図９】本明細書に記載した様々なシステムおよび方法と併せて使用することができる例示的無線ネットワーク環境の説明図。
【図１０】アクセスポイントから追加キャリアの割当てを要求する例示的システムの説明図。
【図１１】無線通信において追加キャリアを割り当てる例示的システムの説明図。
【発明を実施するための形態】
【００２０】
次に、全体を通して同じ要素を指すために同じ参照符号を使用する図面を参照して様々な実施形態について説明する。次の説明では、１つまたは複数の実施形態を十分に理解できるように、説明の目的で数多くの特定の細部を示す。しかしながら、このような（諸）実施形態は、これらの特定の細部がなくとも実行可能であることはあきらかであろう。他の場合では、１つまたは複数の実施形態の説明を容易にするために、周知の構造および装置をブロック図の形で示す。
【００２１】
本出願で使用する、「コンポーネント」、「モジュール」、「システム」などの用語は、コンピュータ関連のエンティティ、すなわちハードウェア、ファームウェア、ハードウェアとソフトウェアの組合せ、ソフトウェア、または実行中のソフトウェアを指すものとする。例えば、コンポーネントは、プロセッサで実行中のプロセス、プロセッサ、オブジェクト、実行ファイル、実行のスレッド、プログラム、および／またはコンピュータである可能性があるが、これらに限定されない。説明のために、コンピューティング・デバイスで実行中のアプリケーションもそのコンピューティング・デバイスも、コンポーネントとすることができる。１つまたは複数のコンポーネントは、プロセスおよび／または実行のスレッドの中にある可能性があり、またコンポーネントは、１つのコンピュータに局在化される、および／または２つ以上のコンピュータ間で分散される可能性がある。さらにこれらのコンポーネントは、様々なデータ構造を格納した様々なコンピュータ可読媒体から実行可能である。コンポーネントは、１つまたは複数のデータパケット（例えばローカルシステム、分散システム、および／または信号による他のシステムを有するインターネットのようなネットワーク全体にある別のコンポーネントと対話する１つのコンポーネントからのデータ）を有する信号に従うなど、ローカル処理および／またはリモート処理によって通信することができる。
【００２２】
さらに様々な実施形態について、移動機器と関連して本明細書で説明する。また移動機器は、システム、加入者ユニット、加入者局、移動局、移動体、リモート局、リモート端末、アクセス端末、ユーザ端末、端末、無線通信機器、ユーザエージェント、ユーザ装置、またはユーザ機器（ＵＥ）と呼ばれることも可能である。移動機器は、携帯電話、コードレス電話、セッション確立プロトコル（ＳＩＰ）電話、無線ローカルループ（ＷＬＬ）局、携帯情報端末（ＰＤＡ）、無線接続機能を有するハンドヘルド装置、コンピューティング・デバイス、または無線モデムと接続された他の処理装置である可能性がある。さらに様々な実施形態について、基地局と関連して本明細書で説明する。基地局は、移動機器との通信に利用されることが可能であり、アクセスポイント、Ｎｏｄｅ  Ｂ、ｅｖｏｌｖｅｄ  Ｎｏｄｅ  Ｂ（ｅＮｏｄｅ  ＢもしくはｅＮＢ）、無線基地局（ＢＴＳ）、またはその他の用語で呼ばれることも可能である。
【００２３】
さらに、本明細書に記載する様々な態様または特徴は、標準的なプログラミング技術および／またはエンジニアリング技術を使用して、方法、装置、または製品として実行されることが可能である。本明細書で使用する「製品」と言う用語は、いかなるコンピュータ可読デバイス、キャリア、または媒体からもアクセス可能なコンピュータ・プログラムを含むものとする。例えばコンピュータ可読媒体には、磁気記憶装置（例えばハードディスク、プロッピーディスク、磁気帯など）、光ディスク（例えばコンパクトディスク（ＣＤ）、ディジタル多用途ディスク（ＤＶＤ）など）、スマートカード、およびフラッシュメモリデバイス（例えばＥＰＲＯＭ、カード、スティック、キードライブなど）が含まれるが、これらに限定されない。また、本明細書に記載する様々な記憶媒体は、情報を格納するための１つまたは複数のデバイスおよび／または他の機械可読媒体を表わすことができる。「機械可読媒体」という用語には、命令および／またはデータを格納する、含む、および／または搬送することができる無線チャネルおよび様々な他の媒体が含まれるが、これらに限定されない。
【００２４】
本明細書に記載する技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数領域多重（single carrier frequency domain multiplexing）（ＳＣ−ＦＤＭＡ）、および他のシステムなど、様々な無線通信システムに使用されることが可能である。「システム」および「ネットワーク」という用語は、しばしば同義的に使用される。ＣＤＭＡシステムは、ユニバーサル地上無線アクセス（ＵＴＲＡ）、ＣＤＭＡ２０００などの無線技術を実装することができる。ＵＴＲＡには、広帯域ＣＤＭＡ（Ｗ−ＣＤＭＡ）およびＣＤＭＡの他の変形が含まれる。ＣＤＭＡ２０００には、ＩＳ−２０００規格、ＩＳ−９５規格、およびＩＳ−８５６規格が含まれる。ＴＤＭＡシステムは、移動体通信用グローバルシステム（ＧＳＭ）などの無線技術を実装することができる。ＯＦＤＭＡシステムは、Ｅｖｏｌｖｅｄ  ＵＴＲＡ（発展型ＵＴＲＡ、Ｅ−ＵＴＲＡ）、ウルトラ・モバイル・ブロードバンド（Ｕｌｔｒａ  Ｍｏｂｉｌｅ  Ｂｒｏａｄｂａｎｄ、ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭなどの無線技術を実装することができる。ＵＴＲＡおよびＥ−ＵＴＲＡは、ユニバーサル移動体通信システム（ＵＭＴＳ）の一部である。３ＧＰＰロングターム・エボリューション（ＬＴＥ）は、Ｅ−ＵＴＲＡを使用する、次に出るリリースであり、これはダウンリンク上でＯＦＤＭＡを、アップリンク上でＳＣ−ＦＤＭＡを使用する。ＵＴＲＡ、Ｅ−ＵＴＲＡ、ＵＭＴＳ、ＬＴＥ、およびＧＳＭについては、「第三世代パートナーシップ・プロジェクト」（３ＧＰＰ）と名付けられた団体からの文書に記載されている。ＣＤＭＡ２０００およびＵＭＢについては、「第三世代パートナーシップ２」（３ＧＰＰ２）と名付けられた団体からの文書に記載されている。また本明細書に記載する技術は、１ｘＥＶ−ＤＯリビジョンＢもしくは他のリビジョン、および／または同様のものなど、ＥＶ−ＤＯ仕様で利用されることが可能である。その上このような無線通信システムは、不対の無認可周波数域、８０２．ｘｘ無線ＬＡＮ、ＢＬＵＥＴＯＯＴＨ（登録商標）、および他の短距離もしくは長距離の無線通信技術を使用する、ピアツーピア（例えば移動体対移動体）のアドホックネットワークシステムをさらに含むことができる。
【００２５】
いくつかの装置、コンポーネント、モジュールなどを含むことができるシステムに関して、様々な態様または特徴を提示する。様々なシステムは、さらなる装置、コンポーネント、モジュールなどを含む場合があること、および／または図と関連して説明する装置、コンポーネント、モジュールなどのすべてを含むとは限らないことを理解され、認識されたい。これらの手法の組合せが使用される場合もある。
【００２６】
次に図１を参照すると、本明細書に示す様々な実施形態に従った無線通信システム１００が示されている。システム１００は、複数のアンテナ群を含むことができる基地局１０２を備える。例えば、１つのアンテナ群は、アンテナ１０４および１０６を含むことができ、別の群は、アンテナ１０８および１１０を備えることができ、さらなる群は、アンテナ１１２および１１４を含むことができる。各アンテナ群には２つのアンテナが示されているが、各群により多いまたはより少ないアンテナを使用することができる。基地局１０２はさらに、送信機チェーンおよび受信機チェーンを含むことができ、そのそれぞれが信号の送信および受信と関連する複数のコンポーネント（例えばプロセッサ、変調器、多重化装置、復調器、多重分離装置、アンテナなど）を備えることができることを、当業者は理解するであろう。
【００２７】
基地局１０２は、移動機器１１６および移動機器１２２など１つまたは複数の移動機器と通信することができるが、基地局１０２は、移動機器１１６および１２２と同様の実質的にいかなる数の移動機器とも通信することができることを理解されたい。移動機器１１６および１２２は、例えば携帯電話、スマートフォン、ラップトップ、ハンドヘルド通信機器、ハンドヘルド・コンピューティング・デバイス、衛星ラジオ、全地球測位システム、ＰＤＡ、および／または無線通信システム１００による通信用の他のいかなる好適な機器であることも可能である。表示のように、移動機器１１６は、アンテナ１１２および１１４と通信しており、アンテナ１１２および１１４は、順方向リンク１１８を通じて移動機器１１６に情報を送信し、逆方向リンク１２０を通じて移動機器１１６から情報を受信する。さらに移動機器１２２は、アンテナ１０４および１０６と通信しており、アンテナ１０４および１０６は、順方向リンク１２４を通じて移動機器１２２に情報を送信し、逆方向リンク１２６を通じて移動機器１２２から情報を受信する。周波数分割複信（ＦＤＤ）システムでは、例えば、順方向リンク１１８は逆方向リンク１２０に使用される周波数帯域とは異なる周波数帯域を使用することができ、順方向リンク１２４は逆方向リンク１２６に使用される周波数帯域とは異なる周波数帯域を使用することができる。さらに時分割複信（ＴＤＤ）システムでは、順方向リンク１１８および逆方向リンク１２０は共通の周波数帯域を利用することができ、順方向リンク１２４および逆方向リンク１２６は共通の周波数帯域を利用することができる。
【００２８】
アンテナの各群および／またはアンテナが通信するように明示されている領域は、基地局１０２のセクタと呼ばれることが可能である。例えば、アンテナ群は、基地局１０２によってカバーされる領域のセクタで移動機器と通信するように設計されることが可能である。順方向リンク１１８および１２４を通じた通信では、基地局１０２の送信アンテナは、移動機器１１６および１２２の順方向リンク１１８および１２４のＳＮ比を改善するために、ビームフォーミングを利用することができる。また、基地局１０２が、関連するカバレッジ中に不規則に散らばった移動機器１１６および１１２に送信するためにビームフォーミングを利用する限り、隣接セルの移動機器は、単一のアンテナによってその移動機器すべてに送信する基地局に比べると、あまり影響を受けないでいることが可能である。さらに、移動機器１１６および１２２は、表示のようにピアツーピアまたはアドホック技術を使用して互いと直接通信することができる。
【００２９】
一例によれば、システム１００は、多入力多出力（ＭＩＭＯ）の通信システムとすることができる。さらにシステム１００は、ＦＤＤ、ＴＤＤ、および同様のものなど、通信チャネル（例えば順方向リンク、逆方向リンク、．．．）を分割するために、実質的にいかなるタイプの複信技術を利用することもできる。１つの例では、基地局１０２および／または移動機器１１６／１２２は、一体化されたまたは一体化されていない可能性がある広帯域マルチキャリアのトランシーバ（例えばレーク受信機）を使用することによって、互いから、および／またはさらなる移動機器／基地局から情報を受信することができる。例えば、広帯域マルチキャリアのトランシーバ（図示せず）は、複数のキャリアを通じて異なる周波数からの信号を同時に受信する複数の受信機を備えることができる。キャリアは、この文脈では、周波数キャリア、またはＯＦＤＭ割当て可能ユニットなど、他のタイプの帯域幅部分を指すことができる。この例では、割当て可能ユニットは、サブフレームにスケジュールすることができるいくつかのサブキャリア上のいくつかのスロットなど、トーン（例えば単一スロット）または移動機器１１６および／または１２２によって定義される他の最小割当て可能ユニットとすることができる。例えば、非同期ＯＦＤＭの構成では、定義された割当て可能ユニットは、アップリンクおよびダウンリンクで異なる可能性がある。このように、基地局１０２および／または移動機器１１６／１２２は、所与の時間間隔で多重信号を受信して復調することができるので、これらによってスループットの増加が達成される。さらに、基地局１０２は、本明細書に記載するように、基地局１０２および／または移動機器１１６／１２２において行われる決定に少なくとも部分的に基づいてデータを受信するためにキャリアを動的に割り当てることができる。
【００３０】
一例によれば、移動機器１１６／１２２は、１つまたは複数の通信パラメータの変化に少なくとも部分的に基づいて基地局１０２から追加キャリアを要求することができる。１つの例では、通信パラメータは、例えば基地局１０２に送信するデータをバッファするために移動機器１１６／１２２のバッファレベルに関連する可能性がある。移動機器１１６および／または１２２のバッファレベルがしきい値を超えて増大するとき、１つの例では移動機器１１６および／または１２２は、基地局１０２から１つまたは複数の追加キャリアを要求して、スループットの増加を促進することができ、それによってバッファレベルを下げることができる。追加キャリアを要求することは、本明細書でさらに説明するように、キャリアの制御チャネルだけでなくキャリア自体を処理するための電力増幅器（ＰＡ）のヘッドルーム、要求を作成するためのタイマ、移動機器１１６および／または１２２にすでに割り当てられたキャリアの数など、付加的なパラメータに基づくことが可能であることを理解されたい。さらに、流入／流出データレートは、バッファレベルに加えて、またはこれに代えて利用されることが可能である。
【００３１】
また基地局１０２は、追加キャリアの要求を承諾する必要はない。追加キャリアを承諾する前に、基地局１０２によってさらなる要素が検討されることが可能である。１つの例では、基地局１０２は、移動機器１１６および／または１２２の加入者レベル（ならびに現在割り当てられているキャリアの数）に少なくとも部分的に基づいて、要求されるキャリアを承諾することができる。基地局１０２によって追加キャリアを承諾することはさらに、移動機器１１６および／または１２２の逆方向リンクのデータ活動ならびに基地局１０２で利用可能なリソースに部分的に基づくことが可能である。この点において、各構成要素で個々に行われた検討に少なくとも部分的に基づいて、基地局１０２から移動機器１１６および／または１２２への動的な割当てのために、複数のキャリアがトリガされることが可能である。
【００３２】
図２を見ると、無線通信環境の中で使用される通信装置２００が示されている。この通信装置２００は、基地局もしくはその一部、移動機器もしくはその一部、または無線通信環境において送信されるデータを受信する実質的にいかなる通信装置であることも可能である。この点において、通信装置２００は、アプリケーション層ならびにプロトコル層を備える通信装置（スマートフォン、携帯電話、もしくは同様の装置など）、またはプロトコル層を備えて異なる装置上のアプリケーションと通信する通信装置（ラップトップおよび携帯電話のモデムの構成など）であることが可能である。通信装置２００は、移動体インターフェースにアクセスすることによって上位層の通信パラメータの検索および／または指定を容易にすることができる移動体インターフェース・リクエスタ２０２と、（例えば移動体インターフェース・リクエスタ２０２によって、もしくはその他の方法で検索される）１つまたは複数の通信パラメータを継続的に評価することができる通信パラメータ・モニタ２０４と、他の装置（図示せず）と通信するために追加キャリアを要求することができるキャリア・リクエスタ２０６とを含むことができる。１つの例では、移動体インターフェース・リクエスタ２０２は、１つまたは複数の装置にデータを送信するためのプロトコル層のバッファレベル、プロトコル層の流入データレート、下位層の流出データレート、および／または同様のものなど、変数またはパラメータを検索することができる。
【００３３】
一例によれば、移動体インターフェース・リクエスタ２０２は、（同じ装置または異なる装置上のアプリケーション層など）上位層から様々な通信パラメータを検索するために、新型移動体加入者ソフトウェア（ＡＭＳＳ）層で利用可能である。１つの例では、通信装置２００から送信するパケットを格納しているバッファのサイズに関して、バッファレベルが検索されることが可能である。バッファは、プロトコル層より上（伝送制御プロトコル／インターネットプロトコル（ＴＣＰ／ＩＰ）、パケットデータ・コンバージェンス・プロトコル（ＰＤＣＰ）、ポイントツーポイントプロトコル（ＰＰＰ）層など）にある可能性がある。１つの例では、バッファはアプリケーション層にあり、例えばプロトコル層または他のパケット形成層の上のアプリケーション層から伝送するために、データが格納される。したがって、ラップトップ／モデムタイプの構成では、通信装置２００はラップトップからアプリケーションデータを受信してバッファリングするモデムに関連付けることが可能である。この構成では、バッファレベルはラップトップで計算されることが可能であり、移動体インターフェース・リクエスタ２０２は、バッファレベルを受信するためにラップトップと通信することができる。しかしながらスマートフォンまたは同様の装置では、層はすべて通信装置２００の中にあり、１つの例では通信パラメータ・モニタ２０４自体が、バッファレベルを取得するために通信装置２００内で通信することができる。どのように取得されるかにかかわらず、通信パラメータ・モニタ２０４を使用してこのようなバッファサイズを評価することは、通信装置２００のスループットの要求がどの程度満たされているかを示すことができると理解されたい。バッファサイズが大きい、および／または急速に増大している場合、例えばバッファを指定されたレベルに維持するために、キャリア・リクエスタ２０６が利用されて追加キャリアを要求することができる。
【００３４】
キャリア・リクエスタ２０６によって追加キャリアの要求が適切に行われることを保証するために、パラメータを取得するための移動体インターフェース・リクエスタ２０２を使用してまたは使用せずに、通信パラメータ・モニタ２０４によって付加的なパラメータが評価されることが可能であることを理解されたい。１つの例では、バッファレベルなどのパラメータは、しきい値と比較されることが可能である。さらにしきい値は、通信装置２００の加入者レベルと関連することが可能である。このように、キャリア・リクエスタ２０６によってキャリアを要求することに関してより高いレベルの加入者により高い優先権を与えるために、より低いレベルの加入者のバッファのしきい値は、より高いレベルより大きいことが可能である。また、キャリア・リクエスタ２０６によってキャリアを要求することを決定する前に、通信パラメータ・モニタ２０４によって他のパラメータが評価されることが可能である。１つの例では、次の式、または同様の式を利用して、キャリアを要求するときを決定することができる。
【数１】
0005437252.tif 000002
【００３５】
・  ＢＬＣｕｒｒｅｎｔは、ＴＣＰ／ＩＰ、ＰＤＣＰ、および／または同様の層など、分割再組立て（ＳＡＲ）層上の現在のバッファレベルである。
【００３６】
・  φＵｓｅｒＢＬＲａｔｉｏは、ユーザの異なる加入者レベル（例えばゴールド／
シルバー／ブロンズ）によって使用される実際のしきい値を決定するために適用されるＢＬＭＣＴｒｉｇｇｅｒＴｈｒｅｓｈｏｌｄ値に適用される係数である。
【００３７】
・  ＢＬＭＣＴｒｉｇｇｅｒＴｈｒｅｓｈｏｌｄは、しきい値であり、ＢＬＣｕｒｒｅｎｔがこのしきい値を超えるとき、キャリア・リクエスタ２０６は接続に追加キャリアを追加するための要求の送信をトリガする。このしきい値は、一時的なフェードによりキャリア・リクエスタ２０６が必ずしもマルチキャリアの要求をトリガしないように選択されることが可能である。
【００３８】
・  ＰＡＨＥＡＤＲＯＯＭは、利用可能なヘッドルームのフィルタにかけられた値である。
【００３９】
・  ＰＡＭＣＴｈｒｅｓｈＨｏｌｄは、キャリア・リクエスタ２０６がマルチキャリア要求を出すことを許可する前の最小の利用可能ＰＡヘッドルームである。
【００４０】
・  ＴＣＵＲＲＥＮＴは、現在時間である。
【００４１】
・  ＴＰｒｅｖｉｏｕｓＣａｒｒｉｅｒＲｅｑｕｅｓｔは、承諾されなかった、前のＣａｒｒｉｅｒＲｅｑｕｅｓｔメッセージが、キャリアを追加することを要求して送信された時間である。
【００４２】
・  ＴＭＣＴｈｒｅｓｈＨｏｌｄは、キャリア・リクエスタ２０６がキャリアを追加するために新たなＣａｒｒｉｅｒＲｅｑｕｅｓｔを送信する前に待つべきキャリア要求の障害時間であり、このために、キャリアを追加するために前に送信されたＣａｒｒｉｅｒＲｅｑｕｅｓｔは、接続に１つまたは複数のキャリアを追加するトラヒックチャネル割当て（ＴＣＡ）を送信することにより応答されていない。
【００４３】
・  ＮＣａｒｒｉｅｒｓＡｓｓｉｇｎｅｄは、現在接続に割り当てられているキャリアの数である。
【００４４】
通信パラメータ・モニタ２０４は、それぞれのしきい値に対して前述のパラメータを評価し、適切な場合は、キャリア・リクエスタ２０６が追加キャリアを要求可能であるときを特定することができることを理解されたい。
【００４５】
別の例によれば、通信パラメータ・モニタ２０４は、バッファレベルに加えてまたはこれに代えて流入および流出データレートを監視することができる。流入データレートは、データがアプリケーション層から、伝送のためにＴＣＰ／ＩＰ、ＰＤＣＰ、および／または同様の層などのプロトコル層に流れ込むレートに関連する可能性がある。流出データレートは、１つまたは複数の装置へ伝送するために、データがメディアアクセス制御（ＭＡＣ）層から出て物理（ＰＨＹ）層へ伝送されるレートに関連する可能性がある。したがって、ラップトップ／モデムの構成では、流入データレートはラップトップで計算されることが可能であり、移動体インターフェース・リクエスタ２０２は、ラップトップから流入レートを読み取ることができ、一方で流出レートは通信装置２００にある層から読み取られることが可能である。しかしながら通信装置２００がアプリケーション層を備える場合、通信パラメータ・モニタ２０４が流入データの読み取り値も流出データの読み取り値も測定することができる。流入／流出データレートは、比較して（例えば比率を形成することによって）評価されることが可能である。流入／流出データレートの比較は、予測されるキャリアの必要性を示すことができるが、バッファレベルがより望ましい現在必要な測定である可能性があることを理解されたい。１つの例では、移動体インターフェース・リクエスタ２０２によってアクセスされるかどうかにかかわらず、現在および／または過去の流入データレートの読み取り値を利用して、流入データレート（これは１秒もしくは他の時間単位あたりのビット、パケットなどの数とすることができる）を計算することができる。１つの例では、流入は、次の式を使用して計算されることが可能である。
【数２】
0005437252.tif 000003
【００４６】
ただし、
０≦αＩＮ≦１、αＩＮは、現在の値に過去の値の重要度を重み付けするための指数平均の乗数であり、
ＲＩＮ−Ｐｒｅｖｉｏｕｓの初期値＝０、
【数３】
0005437252.tif 000004
【００４７】
ただし、ｊは一連のＮＩｎＦｌｏｗＲａｔｅＳａｍｐｌｅｓ流入データレート測定に対する現在の指標であり、ここでＮＩｎＦｌｏｗＲａｔｅＳａｍｐｌｅｓは０より大きい整数である。ＮＩｎＦｌｏｗＲａｔｅＳａｍｐｌｅｓ未満の読み取り値が利用できる場合は、ＮＩｎＦｌｏｗＲａｔｅＳａｍｐｌｅｓは利用できる読み取り値の数に制限されることが可能である。
【００４８】
同様に、過去および／または現在の値を使用して流出を計算することができる。１つの例では、次の式を使用することができる。
【数４】
0005437252.tif 000005
【００４９】
ただし、０≦αＯＵＴ≦１、αＯＵＴは、現在の値に過去の値の重要度を重み付けするための指数平均の乗数であり、
ＲＯＵＴ−Ｐｒｅｖｉｏｕｓの初期値＝０、
【数５】
0005437252.tif 000006
【００５０】
ただし、ｊはＮＯｕｔＦｌｏｗＲａｔｅＳａｍｐｌｅｓ流出データレート測定のセットに対する現在の指標であり、ここでＮＯｕｔＦｌｏｗＲａｔｅＳａｍｐｌｅｓは０より大きい整数である。ＮＯｕｔＦｌｏｗＲａｔｅＳａｍｐｌｅｓ未満の読み取り値が利用できる場合は、ＮＯｕｔＦｌｏｗＲａｔｅＳａｍｐｌｅｓは利用可能な読み取り値の数に制限されることが可能である。
【００５１】
一例では、結果としての流入／流出データレート比が形成され、しきい値と比較されて、キャリア・リクエスタ２０６が通信のための追加キャリアを要求することができるときを特定することができる。別の例では、通信パラメータ・モニタ２０４は、流入／流出データレートを利用して、ある時間周期の傾向を計算することができ、この傾向に基づいて追加キャリアの割当ての時間を推定することができる。例えば、入って来るデータ（流入データ）が出て行くデータ（流出データ）よりしきい値レベルを超えて大きい場合、この差に対処するために追加キャリアが要求されることが可能である。また、通信パラメータ・モニタ２０４は、時間中の異なる時点で流入／流出比をサンプリングして、この比の傾向を判断することができ、例えばキャリア・リクエスタ２０６は追加としてまたは代わりとして、この傾向に基づいて追加キャリアを要求することができる。追加キャリアは、本明細書に記載するようにアロケータでのさらなる検討に応じてキャリア・リクエスタ３１０によって要求されると受信される、または受信されないことを理解されたい。しかしながら、追加キャリアが受信される場合、追加キャリアはその後の通信で利用されることが可能である。
【００５２】
次に図３を参照すると、追加キャリアの要求および割当てを容易にする無線通信システム３００が示されている。無線機器３０２は、移動機器（例えば、独立して動く機器だけでなく、モデムも含む）またはその一部であることが可能である。１つの例では、無線機器３０２は、逆方向リンクまたはアップリンクのチャネルを通じて基地局３０４に情報を送信することができ、さらに無線機器３０２は、順方向リンクまたはダウンリンクのチャネルを通じて基地局３０４から情報を受信することができる。さらにシステム３００は、ＭＩＭＯシステムであることが可能であり、および／または１つもしくは複数の無線通信システムの仕様（例えば、ＥＶ−ＤＯ、３ＧＰＰ、３ＧＰＰ２、３ＧＰＰ  ＬＴＥ、他）に準拠することができ、無線機器３０２および基地局３０４は複数のキャリアを通じて互いと同時に通信することができる。また、無線機器３０２の中で示して説明する構成要素および機能は、１つの例では基地局３０４にあることも可能であり、またその逆も可能であるが、図示した構成は、説明を容易にするためにこれらの構成要素を除外している。
【００５３】
無線機器３０２は、１つまたは複数のキャリアを通じて無線ネットワークの中の基地局３０４および／または１つもしくは複数のアクセスポイントと通信するためのトランシーバ３０６と、１つまたは複数の通信パラメータの変化を特定することができる通信パラメータ・エバリュエータ３０８と、パラメータの変化に少なくとも部分的に基づいて基地局３０４からの追加キャリアの割当てを要求することができるキャリア・リクエスタ３１０とを含む。１つの例では、通信パラメータ・エバリュエータ３０８は、パラメータが指定されたしきい値を下回るまたは超えるときを特定するために、１つまたは複数の通信パラメータを監視することができる。このイベント時に、キャリア・リクエスタ３１０は、基地局３０４と通信するために追加キャリアを要求することができる。また、以下にさらに説明するように、１つまたは複数の通信パラメータは、例えばアプリケーション層における流入対プロトコル層における流出の比など、通信パラメータの計算とすることもできる。さらに通信パラメータは、記載のように独立のパラメータと計算されたパラメータの組合せとすることもできる。
【００５４】
基地局３０４は、１つまたは複数のキャリアを通じた無線機器３０２との通信を容易にするトランシーバ３１２と、追加キャリアの割当てを求める要求を受信するときに無線機器３０２の加入レベルを特定することができる加入レベル検出器３１４と、無線機器３０２との逆方向リンクの通信を通じてスループットのレベルを測定することができるスループット・レベル検出器と、無線機器３０２の加入レベルおよび／または測定されたスループット・レベルに少なくとも部分的に基づいて無線機器３０２に追加キャリアを割り当てることができるキャリア・アロケータ３１８と、を含む。
【００５５】
一例によれば、無線機器３０２は、１つまたは複数のキャリアを通じて基地局３０４のトランシーバ３１２と通信するためにトランシーバ３０６を利用することができる。通信パラメータ・エバリュエータ３０８は、バッファレベル、流入／流出の比較、加入レベル、利用可能なＰＡヘッドルーム、追加キャリアを要求するためのタイマ、通信にすでに利用されているキャリアの数、および／または同様のものなど、通信中の通信パラメータの変化を検出することができる。別の例では、通信パラメータ・エバリュエータ３０８は、計算されたパラメータの変化を特定するために、前述のパラメータの１つまたは複数に基づいてパラメータを計算することができる。１つまたは複数のパラメータ値が、前述のように、指定されたしきい値を超えるまたは下回るように変化する場合、キャリア・リクエスタ３１０は、トランシーバ３０６を通じて基地局３０４からの追加キャリアの割当てを要求することができる。基地局３０４は、トランシーバ３１２を通じて要求を受信することができ、本明細書に記載するように加入者レベル、利用可能なリソース、スループット・レベル、および／または同様のものなど、いくつかのさらなる要素に基づいて要求を承諾または拒否することができる。
【００５６】
１つの例では、キャリア・リクエスタ３１０は、通信パラメータ・エバリュエータ３０８によって測定されたバッファレベルに少なくとも部分的に基づいて追加キャリアを要求することができる。例えば、バッファレベルは、基地局３０４への伝送のためにデータを格納しているバッファと関連する可能性がある。（例えば、データが、提供されたキャリアを通じて基地局３０４へ伝送されているよりも速く無線機器３０２と関連するアプリケーションによって生成されているので）バッファレベルがしきい値レベルに達すると、通信パラメータ・エバリュエータ３０８は、追加キャリアが要求されるべきであると判断することができる、または付加的なパラメータを評価してこのように判断することができる。１つの例では、バッファのしきい値レベルは、無線機器３０２のユーザの加入レベルに少なくとも部分的に基づいて変更されることが可能であり、ユーザの加入レベルは、例えばユーザによって購入されたレベルであることがあり、より高いレベルのサービスを取得すると変わる可能性がある。例えば、１つの例ではゴールド、シルバー、ブロンズ方式が使用されることが可能であり、ゴールドのユーザ（例えば、プレミアムレベルのサービスを有する）は、シルバーまたはブロンズよりも低いバッファレベルで追加キャリアを要求することができる。１つの例では、加入レベルは、対応するしきい値を有することができる。別の例では、加入レベルは、追加キャリアを要求するためのしきい値バッファレベルを計算する際に利用するための乗算器に関連する可能性がある。いずれの場合にも、バッファレベルのしきい値は、通信の一時的なフェード（結果としてバッファレベルの一時的な増加を生じる）が必ずしもキャリア・リクエスタ３１０に追加キャリアを要求させることがないよう十分に高く設定されることが可能である。一例によれば、バッファレベルは、追加キャリアを要求する際に利用するために、例えばモデムのソフトウェア（ＡＭＳＳ層など）に下位層のバッファレベルを示すことができるインターフェース（図示せず）を介して測定されることが可能である。
【００５７】
さらに通信パラメータ・エバリュエータ３０８は、キャリア・リクエスタ３１０が通信のための追加キャリアを要求することができるときを特定するために、付加的なパラメータを比較することができる。一例では、通信パラメータ・エバリュエータ３０８はさらに、キャリアを追加する実現可能性を判断するために、無線機器３０２のＰＡヘッドルームを分析することができる。ＰＡヘッドルームは、追加キャリアを要求するためのしきい値最小ＰＡヘッドルームと比較されることが可能である。この点において、追加キャリアを要求する、および／またはそれに関連する制御チャネルを通じて通信するには、十分なＰＡヘッドルームが無線機器３０２で利用できるが、追加キャリアを通じて効率的に通信するには十分なＰＡヘッドルームがない可能性がある。したがって、しきい値に対してＰＡヘッドルームを評価することにより、無線機器３０２は追加キャリアを要求する利点を判断した後に実際にそうするためにリソースを消費することが可能になる。
【００５８】
また、キャリア・リクエスタ３１０を介して追加キャリアを要求する前に、通信パラメータ・エバリュエータ３０８によって時間が評価されることも可能である。この点において、現在の時間が、キャリア要求の障害時間（例えば追加キャリアが要求可能であるときを示す）と比較されることが可能である。例えば、無線機器３０２は、基地局３０４がさらなる要求で溢れることを避けるために新しい時間を示した、追加キャリアを求める先の要求で、この時間を受信している可能性がある。別の例では、時間は無線機器３０２で符号化される、あるいは他の場合は異なる無線ネットワークの要素など、異なる機器から受信されることが可能である。さらに、追加キャリアを要求する前に、無線機器３０２にすでに割り当てられているキャリアの数が、通信パラメータ・エバリュエータ３０８によって評価されることが可能である。例えば、基地局３０４は、単一機器に割当て可能なキャリアの最大数を実行することができる。これは、基地局３０４および／またはネットワーク仕様に従うものであることが可能である。いずれの場合にも、無線機器３０２は、（例えばハードコードされたパラメータから、または無線ネットワーク要素からの受信によって）最大数を受信することができ、無線機器に割り当てられたキャリアの数を最大数と比較することができる。割り当てられたキャリアの数が実質的に最大数に等しい場合、無線機器３０２は、他のパラメータにかかわらず追加キャリアを求める要求をやめることができる。
【００５９】
さらに別の例によれば、通信パラメータ・エバリュエータ３０８は、バッファレベルに加えてまたはこれに代えて流入／流出の比較を利用することができる。流入／流出の比較は、基地局３０４によって割り当てられたキャリアを使用して、アプリケーションからのデータの流入の測定を、トランシーバ３０６を通じたデータの流出の測定と比較することに関連する可能性がある。バッファレベルと同様に、この情報は、モデムのソフトウェアと通信するインターフェース（ＡＭＳＳ層など）から取得される、および／またはモデムのソフトウェアにおける活動に基づいて特定されることが可能である。このパラメータを利用することにより、追加キャリアを要求することのより予言的な評価ができるのに対し、バッファレベルは、現在の必要性を示すことができる。また、通信パラメータ・エバリュエータ３０８は、流入／流出の比較パラメータを、やはり加入レベルによって影響される可能性があるしきい値と比較することができる。このようにしきい値は、加入レベルと直接関連することが可能であり、および／または例えば加入レベルと関連する係数を掛けられることが可能である。さらに、キャリア・リクエスタ３１０によって追加キャリアを要求すべきかどうかを決定することは、流入／流出の比較および上記の他のパラメータの１つまたは複数に基づくことが可能である。
【００６０】
前述の例では、無線機器３０２は貪欲に追加キャリアを要求し、基地局３０４は受信されるすべての要求を承諾する必要はない。もっと正確に言えば、追加キャリアを承諾するための決定は、基地局３０４と関連する１つまたは複数の観察に基づくことも可能である。１つの例によれば、加入レベル検出器３１４は、無線機器３０２の加入レベルを特定することができる。キャリア・アロケータ３１８は、加入レベルに従ってさらなるキャリアを割り当てることが可能かどうかを判断するために、加入レベルに対して機器にすでに割り当てられたキャリアの数を分析することができる。このように加入レベルは、割当て可能なキャリアの最大数と関連する可能性がある。例えば、ゴールドレベルは３つのキャリアを受信することができ、一方でシルバーは２つを、ブロンズは１つを受信することができる。加入レベルは、例えば、追加キャリアを求める要求、通信の最初の要求の中で指定される、および／または１つもしくは複数の追加ネットワーク要素から受信されることが可能である。また、キャリア・アロケータ３１８は、利用可能なリソースにさらに基づいて無線機器３０２にキャリアを割り当てることができる。例えば、基地局３０４に追加キャリアがない場合、基地局は加入レベルにかかわらず、無線機器３０２にキャリアを割り当てることができない。また、この点において、キャリア・アロケータ３１８は、加入レベルに基づいて優先度を割り当てることができ、および／または、例えば伝送に利用可能にされるトーク（tokes）の数がゴールドユーザに比べてブロンズにはより制限されることが可能であるように、ＭＡＣパラメータを規制することができる。別の例では、キャリア・アロケータ３１８は、利用可能なキャリア数を各加入レベルのグループに分割し、そうしてより高い加入レベルの追加キャリアを確保することができる。
【００６１】
別の例では、スループット・レベル検出器３１６は、トランシーバ３１２を通じた無線機器３０２との逆方向リンクの通信のスループット・レベルを測定することができる。キャリア・アロケータ３１８は、追加としてまたは代わりとして、スループット・レベルに少なくとも部分的に基づいて無線機器３０２に追加キャリアを割り当てることができる。例えば、スループット・レベル検出器３１６は、逆方向リンクのスループットをサービスのしきい値レベルと比較することができ、スループットがしきい値を下回る場合、（例えば、十分なリソースが基地局３０４で利用可能であれば）キャリア・アロケータ３１８は無線機器３０２に追加キャリアを割り当てることができる。あるいは、測定されたスループットがしきい値を上回る場合、追加キャリアの要求は拒否されることが可能である。さらに、サービスのしきい値レベルは加入レベルに少なくとも部分的に基づくことが可能であり、キャリア・アロケータ３１８は、１つの例ではスループットと加入レベルの両方に基づいて追加キャリアを割り当てることができる。キャリア・アロケータ３１８が無線機器３０２に追加キャリアを割り当てる場合、無線機器３０２に通知が送信されることが可能であり、無線機器３０２は、トランシーバ３０６を通じたその後の伝送でこのキャリアの使用を開始することができる。キャリア・アロケータ３１８が要求を拒否する場合、基地局３０４は無線機器３０２に拒否を通知することができる。１つの例では、基地局３０４は、拒否の中に追加キャリアを再要求するための時間を含んで、無線機器３０２からのこのような要求で基地局が溢れないように保証することができる。
【００６２】
図４〜６を参照すると、無線通信ネットワークにおいて移動機器への追加の周波数キャリアを要求することおよび割り当てることに関連する方法が示してある。説明を簡単にするために、方法を一連の動作として示して説明しているが、方法は、動作の順序に限定されず、一部の動作は、１つまたは複数の実施形態に従って、本明細書に示して説明した順序とは異なる順序で発生する、および／または他の動作と同時に発生する場合があることを理解し、認識されたい。例えば、方法は代替的に、状態図においてなど、一連の相互に関係のある状態または事象として表すことができることを、当業者は理解し、認識するであろう。さらに、１つまたは複数の実施形態に従って方法を実施するために、例示したすべての動作が必要とされるわけではない。
【００６３】
図４を見ると、無線通信ネットワークにおいて追加キャリアを要求することを容易にする方法４００が示されている。４０２では、１つまたは複数のキャリアを通じてアクセスポイントとの通信が発生する可能性がある。１つの例ではキャリアは、最初にサービスレベル、利用可能なリソースなどにより割り当てられることが可能である。４０４では、しきい値により通信に関連するパラメータの変化が検出されることが可能である。記載のように、パラメータはバッファレベル、流入／流出の比較、ＰＡヘッドルーム、追加キャリアを要求する時間、割り当てられるキャリアの最大数、および／または同様のものと関連する可能性がある。しきい値は、加入レベルに基づく、またはこれに影響される可能性がある。例えば、記載のように、追加キャリアを要求するためのしきい値バッファレベルまたは流入／流出の比較は、加入レベルに基づく係数を掛けて、高いレベルの方が低いレベルより望ましいパラメータ値で追加キャリアを受信することを保証することができる。したがって、例えば、値をしきい値と比較すること、ならびに／あるいはイベントを監視することおよび／または受信することによって値の変化の通知を受け取ることに少なくとも部分的に基づいて、変化が検出される。
【００６４】
４０６では、検出された変化に基づいて、追加キャリアが要求されることが可能である。したがって、記載のように、これは上記の値の１つまたは複数の比較に基づくことが可能である。例えば、追加キャリアを要求することは、しきい値と比較された、バッファレベルおよび／または流入／流出データレートに基づくことが可能である。追加キャリアは、利用可能なＰＡヘッドルーム（例えば、記載のように、チャネルを取得するためにリソースを消費することが、関連する制御チャネルだけでなく、実際のデータチャネルにも有益な、所与の利用可能なヘッドルームとなるかどうか）に部分的に基づいて要求されることも可能である。さらに、記載のように、他のメトリックと比較してキャリアの最大数が評価されることも可能である。このように、通信と関連する実質的にいかなる数の前述の付加的なパラメータが追加キャリアを要求するために評価されることも可能であると理解されたい。４０８では、受信された追加キャリアが、その後の通信で利用されることが可能であり、通信のスループットを増大させる。
【００６５】
図５を参照すると、追加キャリアを要求すべきかどうかを判断することを容易にする方法５００が示されている。５０２では、バッファレベルおよび／または流入／流出データレートが、前述のしきい値に対して評価される。一例によれば、記載のようにバッファレベルおよび／または流入パラメータが、インターフェースを使用してアプリケーション層から取り出されることが可能である。５０４では、バッファレベルおよび／または流入／流出レートがしきい値を超えていると判断される。記載のように、しきい値は、加入者レベルにより設定および／または変更されることが可能である。しきい値を超えていない場合、方法は５０２に戻る。５０２で再び評価が行われる前に、タイマを利用することができ、さらに、バッファレベルおよび／または流入／流出データレートと関連するイベントに少なくとも部分的に基づいて、ステップ５０２へと続くことが可能であると理解されたい。値がしきい値を超えている場合は、ステップ５０６において、割り当てられたキャリアが最大値を超えているかどうかが判断される。超えている場合、方法は再びステップ５０２へ進むことができる。しかしながら、超えていない場合は、ステップ５０８において、追加キャリアに適切なＰＡヘッドルームがあるかどうかが判断されることが可能である。これは、本明細書に記載するように、しきい値との比較に少なくとも部分的に基づいて決定されることが可能である。超えていない場合、方法は再び５０２に進む。しかしながら、超えている場合は、５１０においてキャリア要求障害タイマが切れているかどうかが判断されることが可能である。要求の障害タイマは、記載のように、システムが要求で溢れないように、追加キャリアの要求を禁じる時間を指定することができる。要求の障害タイマが切れていない場合、方法は５０２へ進む。切れている場合は、５１２において追加キャリアが、記載のように要求されることが可能である。
【００６６】
次に図６を見ると、無線通信において移動機器に追加キャリアを割り当てることを容易にする方法６００が示されている。６０２では、追加キャリアの割当てを求める要求が受信されることが可能である。記載のように要求は、追加キャリアの必要性に関する判断に基づいて移動機器から行われることが可能であるが、追加キャリアの割当ては承諾される必要はない。６０４では、要求者の加入レベルが特定されることが可能である。このように、追加キャリアを割り当てることは、加入レベルに関連することが可能である。さらに６０６では、要求者に割り当てられたキャリアの数が特定されることが可能である。６０８では、加入レベルおよび割り当てられたキャリアに基づいて、追加キャリアが要求者に割り当てられることが可能である。したがって、例えば異なる加入レベルは、最大割当て可能キャリアの異なるしきい値を有することができる。このしきい値は、追加キャリアを割り当てることができるかどうかを判断するために、すでに割り当てられた数と比較されることが可能である。記載のように、割当ては、１つの例では利用可能なリソースなど、付加的な特性にさらに基づくことが可能であることを理解されたい。
【００６７】
本明細書に記載の１つまたは複数の態様に従って、流入／流出パラメータを特定すること、および／または記載のようにこのようなパラメータもしくは付加的なパラメータの変化を特定することに関して推論を行うことができることを理解されたい。本明細書で使用する、「推論する」または「推論」という用語は、一般に、イベントおよび／またはデータによって取り込まれる一連の観察から、システム、環境、および／またはユーザの状態を考えるまたは推論するプロセスを指す。推論は、特定のコンテキストまたはアクションを識別するために用いられることが可能であり、あるいは推論により、例えば状態に関する確率分布を生成することができる。推論は、確率的とする、すなわちデータおよび事象の検討に基づいた対象となっている状態に関する確率分布の計算とすることができる。また推論は、一連のイベントおよび／またはデータから上位レベルのイベントを構成するために使用される技法を指すこともできる。このような推論は、イベントが時間的に近接した相関性があるかどうか、またイベントおよびデータが１つまたはいくつかのイベントおよびデータのソースから発生しているかどうかにかかわらず、一連の観察されたイベントおよび／または格納されたイベントデータから新しいイベントまたはアクションの構成をもたらす。
【００６８】
図７は、無線通信ネットワークにおいて追加キャリアを要求することを容易にする移動機器７００の説明図である。移動機器７００は、例えば受信アンテナ（図示せず）から１つまたは複数のキャリアを通じて１つまたは複数の信号を受信し、受信した信号に一般的なアクションを行い（例えば、フィルタをかける、増幅する、ダウンコンバートするなど）、調整した信号をディジタル化してサンプルを取得する受信機７０２を備える。受信機７０２は、受信したシンボルを復調し、チャネル推定を行うためにこれらをプロセッサ７０６に提供することができる復調器７０４を備えることができる。プロセッサ７０６は、受信機７０２によって受信された情報を分析するおよび／または送信機７１６によって送信する情報を生成することに専用のプロセッサ、移動機器７００の１つまたは複数の構成要素を制御するプロセッサ、および／または受信機７０２によって受信された情報を分析し、送信機７１６によって送信される情報を生成し、かつ移動機器７００の１つまたは複数の構成要素を制御するプロセッサとすることができる。
【００６９】
移動機器７００はまた、プロセッサ７０６に動作可能に結合され、送信されるデータ、受信されたデータ、利用可能なチャネルに関する情報、分析された信号および／またはインターフェースの強度と関連するデータ、割り当てられたチャネルに関する情報、電力、レートなど、ならびにチャネルを推定してこのチャネルによって通信するために好適な他の情報を格納することができるメモリ７０８を備えることができる。メモリ７０８はまた、チャネルを推定することおよび／または利用することと関連する（例えば性能ベース、容量ベースなど）プロトコルおよび／またはアルゴリズムを格納することができる。
【００７０】
本明細書に記載するデータストア（例えばメモリ７０８）は、揮発性メモリまたは不揮発性メモリであることが可能であり、あるいは揮発性メモリと不揮発性メモリを共に含むことができると理解されたい。説明のためであって、限定ではないが、不揮発性メモリには、リードオンリーメモリ（ＲＯＭ）、プログラマブルＲＯＭ（ＰＲＯＭ）、電気的プログラマブルＲＯＭ（ＥＰＲＯＭ）、電気的に消去可能なＰＲＯＭ（ＥＥＰＲＯＭ）、またはフラッシュメモリが含まれる。揮発性メモリには、ランダムアクセスメモリ（ＲＡＭ）が含まれ、これは外部キャッシュメモリとして働く。説明のためであって、限定ではないが、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、Ｓｙｎｃｈｌｉｎｋ  ＤＲＡＭ（ＳＬＤＲＡＭ）、およびダイレクトＲａｍｂｕｓ  ＲＡＭ（ＤＲＲＡＭ）など多くの形態で利用可能である。本システムおよび方法のメモリ７０８は、これらのタイプおよびその他の好適なタイプのメモリを備えるものとするが、これらに限定されるものではない。
【００７１】
さらにプロセッサ７０６は、通信パラメータの変化を特定することができる（１つの例では、変更の通知を受信することによってなど）パラメータ変化検出器７１０に動作可能に結合されることが可能である。これは、例えばパラメータを監視するもしくは評価することから、または受信されたイベントから可能である。１つの例では、バッファレベルが分析されて、記載のように加入者レベルと関連することが可能である指定されたしきい値に達したかどうかを判断することができる。１つの例ではパラメータ・エバリュエータ７１０によってイベントが受信可能であり、これによってパラメータ・エバリュエータはバッファレベルを分析するようになることを理解されたい。別の例では、流入／流出データレートが、同様に評価されるパラメータであることが可能である。バッファレベルおよび流入データレートは、アプリケーション層から受信可能である。この層が移動機器７００の外部にある場合（移動機器７００がモデムであるラップトップにおいてなど）、インターフェースを利用してパラメータを取得することができる。流出データレートは、１つの例では１つまたは複数の層（例えばＭＡＣ、ＰＨＹなど）から、送信機７１６から受信可能である。
【００７２】
さらに、追加キャリアが要求可能であるときを特定するために、前述のものとは別にまたは併せて、付加的なパラメータが評価されることも可能である。例えば、記載のように、追加キャリアを処理するために移動機器７００に十分なＰＡヘッドルームがあるかどうかを判断するために、利用可能なＰＡヘッドルームが分析されることが可能である。また、記載のように追加キャリアを要求する前に、キャリアの最大数および／または要求の障害タイマが考慮されることも可能である。追加キャリアが要求可能である場合、キャリア・リクエスタ７１２は、アクセスポイントに送信することができる要求を作ることができる。さらに移動機器７００は、信号を変調する変調器７１４、および例えば基地局、別の移動機器などに信号を送信する送信機７１６を備える。プロセッサ７０６から離れているように示しているが、パラメータ・エバリュエータ７１０、キャリア・リクエスタ７１２、復調器７０４、および／または変調器７１４は、プロセッサ７０６または複数のプロセッサ（図示せず）の一部であることが可能であることを理解されたい。
【００７３】
図８は、無線通信ネットワークにおいてキャリアを移動機器に割り当てることを容易にするシステム８００の説明図である。このシステム８００は、複数の受信アンテナ８０６を介して１つまたは複数の移動機器８０４から信号を受信する受信機８１０を有する基地局８０２（例えばアクセスポイント）と、送信アンテナ８０８を介して１つまたは複数の移動機器８０４へ送信する送信機８２８と備える。受信機８１０は、受信アンテナ８０６から情報を受信することができ、受信した情報を復調する復調器８１２と動作可能に関連付けられている。復調されたシンボルは、図７に関して上述したプロセッサと同様であることが可能なプロセッサ８１４によって分析され、このプロセッサは、信号（例えばパイロット）強度および／または干渉強度を推定することに関連する情報、移動機器８０４（または異なる基地局（図示せず））に送信されるデータもしくはこれから受信されるデータ、および／または本明細書に示す様々なアクションおよび機能を行うことに関連する他の好適な情報を格納するメモリ８１６に結合されている。プロセッサ８１４はさらに、必要なときに追加キャリアを移動機器８０４に割り当てることができるキャリア・アロケータ８１８、ならびに移動機器８０４からの追加キャリアを求める要求を承諾するべきかどうかを判断するために利用可能である加入者レベル・エバリュエータ８２０、利用可能リソース・エバリュエータ８２２、およびスループット・エバリュエータ８２４に結合されている。
【００７４】
一例によれば、基地局８０２は、（例えば受信機８１０を通じて）基地局と通信している移動機８０４から１つまたは複数の追加キャリアを求める要求を受信することができる。加入者レベル・エバリュエータ８２０は、移動機器８０４の加入者レベルを特定することができ、キャリア・アロケータ８１８は、この情報に少なくとも部分的に基づいて移動機器８０４に追加キャリアを割り当てることができる。例えば記載のように、キャリア・アロケータ８１８は、加入者レベルに少なくとも部分的に基づいてキャリアを確保することができ、より高いレベルの加入者により多くの数を確保する。別の例では、キャリア・アロケータ８１８は、加入者レベルごとに所与の数のキャリアを割り当てることができ、したがってキャリア・アロケータ８１８はまた、追加キャリアを割り当てるときを決定する際に、移動機器８０４に割り当てられたキャリアの数、ならびに加入者レベルを評価することもできる。さらに、利用可能リソース・エバリュエータ８２２は、キャリアを割り当てるために、基地局８０２で使えるリソースを特定することができる。追加キャリアを割り当てるための決定はさらに、利用可能なリソースに基づくことが可能である。また、スループット・エバリュエータ８２４は、追加キャリアを割り当てるための決定が、さらに達成されるスループットに基づくことが可能であるように、移動機器８０４の逆方向リンクのスループットを分析することができる。したがって、スループットがしきい値（同様に加入者レベルに基づくことが可能である）を上回る場合、キャリア・アロケータ８１８は、１つまたは複数のキャリアを追加するための要求を拒否することができる。なお、プロセッサ８１４から離れているように示しているが、キャリア・アロケータ８１８、加入者レベル・エバリュエータ８２０、利用可能リソース・エバリュエータ８２２、スループット・エバリュエータ８２４，復調器８１２、および／または変調器８２６は、プロセッサ８１４または複数のプロセッサ（図示せず）の一部であることが可能であることを理解されたい。
【００７５】
図９は、一例の無線通信システム９００を示している。この無線通信システム９００は、簡潔にするために、１つの基地局９１０と、１つの移動機器９５０とを示している。しかしながら、システム９００は、２つ以上の基地局および／または２つ以上の移動機器を含むことができ、さらなる基地局および／または移動機器は、以下に記載する例示的基地局９１０および移動機器９５０と実質的に同様である、または異なる可能性があることを理解されたい。また、基地局９１０および／または移動機器９５０は、その間の無線通信を容易にするために、本明細書に記載したシステム（図１〜３および７〜８）および／または方法（図４〜６）を使用することができることを理解されたい。
【００７６】
基地局９１０では、いくつかのデータストリームのトラヒックデータが、データソース９１２から送信（ＴＸ）データプロセッサ９１４へ提供される。一例によれば、各データストリームは、それぞれのアンテナを通じて送信されることが可能である。ＴＸデータプロセッサ９１４は、そのデータストリームに選択された特定の符号化方式に基づいてトラヒックデータストリームを、フォーマット、符号化、およびインタリーブして、符号化されたデータを提供する。
【００７７】
各データストリーム用の符号化されたデータは、直交周波数分割多重（ＯＦＤＭ）技術を使用してパイロットデータを用いて多重化されることが可能である。追加としてまたは代わりとして、パイロットシンボルは、周波数分割多重化（ＦＤＭ）、時間分割多重化（ＴＤＭ）、または符号分割多重化（ＣＤＭ）されることが可能である。パイロットデータは、一般に既知の方法で処理される既知のデータパターンであり、チャネル応答を推定するために移動機器９５０で使用されることが可能である。多重化されたパイロットおよび各データストリーム用の符号化されたデータは、変調シンボルを提供するためにそのデータストリームに選択された特定の変調方式（例えば二位相偏移変調（ＢＰＳＫ）、四位相偏移変調（ＱＰＳＫ）、Ｍ位相偏移変調（Ｍ−ＰＳＫ）、Ｍ直交振幅変調（Ｍ−ＱＡＭ）など）に基づいて変調される（例えばシンボルにマップされる）。各データストリームに対するデータレート、符号化、および変調は、プロセッサ９３０によって実行されるまたは提供される命令によって決定されることが可能である。
【００７８】
それらのデータストリームに対する変調シンボルは、ＴＸ  ＭＩＭＯプロセッサ９２０に提供されることが可能であり、このＴＸ  ＭＩＭＯプロセッサがさらにこの変調シンボルを（例えばＯＦＤＭ用に）処理することができる。次にＴＸ  ＭＩＭＯプロセッサ９２０は、ＮＴ個の変調シンボルのストリームをＮＴ個の送信機（ＴＭＴＲ）９２２ａから９２２ｔへ提供する。様々な実施形態では、ＴＸ  ＭＩＭＯプロセッサ９２０は、データストリームのシンボルおよびシンボルがそこから送信されているアンテナに、ビームフォーミングの重み（beamforming weights）を適用する。
【００７９】
各送信機９２２は、それぞれのシンボルストリームを受信し、これを処理して１つまたは複数のアナログ信号を提供し、さらにこのアナログ信号を調整し（例えば増幅する、フィルタにかける、およびアップコンバートする）、ＭＩＭＯチャネルで送信するのに適した変調信号を提供する。さらに、送信機９２２ａから９２２ｔからのＮＴ個の変調信号は、それぞれＮＴ個のアンテナ９２４ａから９２４ｔから送信される。
【００８０】
移動機器９５０では、送信された変調信号がＮＲ個のアンテナ９５２ａから９５２ｒによって受信され、各アンテナ９５２からの受信信号は、それぞれの受信機（ＲＣＶＲ）９５４ａから９５４ｒに提供される。各受信機９５４は、それぞれの信号を調節し（例えばフィルタにかける、増幅する、およびダウンコンバートする）、調節した信号をディジタル化してサンプルを提供し、さらにこのサンプルを処理して対応する「受信」シンボルストリームを提供する。
【００８１】
ＲＸデータプロセッサ９６０が、特定の受信処理技術に基づいてＮＲ個の受信機９５４からＮＲ個の受信シンボルストリームを受信して処理し、ＮＴ個の「検出」シンボルストリームを提供する。ＲＸデータプロセッサ９６０は、各検出シンボルストリームを復調、ディインタリーブ、および復号して、データストリームのトラヒックデータを回復する。ＲＸデータプロセッサ９６０による処理は、基地局９１０でＴＸ  ＭＩＭＯプロセッサ９２０およびＴＸデータプロセッサ９１４によって行われる処理と相補的である。
【００８２】
プロセッサ９７０は、上記のようにどのプリコーディングマトリックスを使用するかを定期的に決定することができる。さらにプロセッサ９７０は、マトリックスのインデックス部分およびランク値部分を含む逆方向リンクのメッセージを作ることができる。
【００８３】
逆方向リンクのメッセージは、通信リンクおよび／または受信データストリームに関する様々なタイプの情報を備えることができる。逆方向リンクのメッセージは、データソース９３６からいくつかのデータストリームのトラヒックデータも受信するＴＸデータプロセッサ９３８によって処理され、変調器９８０によって変調され、送信機９５４ａから９５４ｒによって調節され、基地局９１０に返送される。
【００８４】
基地局９１０では、移動機器９５０からの変調された信号がアンテナ９２４によって受信され、受信機９２２によって調整され、復調器９４０によって復調され、ＲＸデータプロセッサ９４２によって処理されて、移動機器９５０によって送信された逆方向リンクのメッセージを取り出す。さらにプロセッサ９３０は、取り出されたメッセージを処理して、ビームフォーミングの重みを決定するためにどのプリコーディングマトリックスを使用するかを決定することができる。
【００８５】
プロセッサ９３０および９７０は、それぞれ基地局９１０および移動機器９５０における動作を指示する（例えば、制御する、調整する、管理するなど）ことができる。それぞれのプロセッサ９３０および９７０は、プログラムコードおよびデータを格納するメモリ９３２および９７２と関連付けられることが可能である。またプロセッサ９３０および９７０は、それぞれアップリンクおよびダウンリンクの周波数およびインパルス応答の推定を導き出すための計算を行うことができる。
【００８６】
本明細書に記載した実施形態は、ハードウェア、ソフトウェア、ファームウェア、ミドルウェア、マイクロコード、またはそのいかなる組合せにおいて実装されることも可能であることを理解されたい。ハードウェアの実装については、１つまたは複数の特定用途向け集積回路（ＡＳＩＣ）、ディジタル信号プロセッサ（ＤＳＰ）、ディジタル信号処理装置（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書に記載した機能を実行するように設計されたその他の電子ユニット処理ユニット、またはその組合せの中に、処理ユニットを実装することができる。
【００８７】
諸実施形態が、ソフトウェア、ファームウェア、ミドルウェアまたはマイクロコード、プラグラムコードまたはコードセグメントに実装されるとき、これらは記憶素子など機械可読媒体に格納されることが可能である。コードセグメントは、手順、関数、サブプログラム、プログラム、ルーチン、サブルーチン、モジュール、ソフトウェアパッケージ、クラス、または命令、データ構造、もしくはプログラムステートメントの任意の組合せを表わすことができる。コードセグメントは、情報、データ、引数、パラメータ、またはメモリコンテンツを渡すおよび／または受信することによって、別のコードセグメントまたはハードウェア回路と結合することができる。情報、引数、パラメータ、データなどは、メモリシェアリング、メッセージパッシング、トークンパッシング、ネットワーク送信などを含む任意の好適な手段を使用して渡される、転送される、または送信されることが可能である。
【００８８】
ソフトウェア実装については、本明細書に記載する技術は、本明細書に記載する機能を実行するモジュール（例えば、プロシージャ、関数など）で実装されることが可能である。ソフトウェアのコードは、メモリユニットに格納され、プロセッサによって実行されることが可能である。メモリユニットは、プロセッサ内にまたはプロセッサの外部に実装されることが可能であり、外部に実装される場合は、メモリユニットは当技術分野で知られている様々な手段によってプロセッサに通信可能に結合されることが可能である。
【００８９】
図１０を参照すると、無線ネットワークにおいて通信のための追加キャリアを要求するシステム１０００が示されている。例えばシステム１０００は、基地局、移動機器などの中に少なくとも一部に備わっていることが可能である。システム１０００は、機能ブロックを含んでいるとして表わされており、その機能ブロックは、プロセッサ、ソフトウェア、またはその組合せ（例えばファームウェア）によって実行される機能を表わす機能ブロックであることが可能であると理解されたい。システム１０００は、共に動作することができる手段の論理グループ１００２を含む。例えば、論理グループ１００２は、１つまたは複数の割り当てられたキャリアを通じてアクセスポイントと通信するための手段１００４を含むことができる。例えばシステム１０００は、割り当てられたキャリアを通じてアクセスポイントから無線サービスを受信することができる。さらに論理グループ１００２は、関連するしきい値に関して１つまたは複数の通信パラメータの変化を特定するための手段１００６を備えることができる。記載のように１つの例では、１つまたは複数の通信パラメータは、システム１０００のプロトコル層のバッファレベルおよび／またはアプリケーション層とプロトコル層の間の流入／流出データレートに関連する可能性がある。また、記載のように、追加キャリアのために利用可能なＰＡヘッドルーム、割り当てられたキャリアの数、キャリアを要求するためのタイマ、および／または同様のものなど、他のパラメータが考慮されることも可能である。さらに、論理グループ１００２は、変化に少なくとも部分的に基づいてアクセスポイントから少なくも１つの追加キャリアを要求するための手段１００８を含むことができる。追加キャリアが承諾される場合、システム１０００は、例えばアクセスポイントとのその後の通信でこのキャリアを使用することができる。またシステム１０００は、電子部品１００４、１００６、および１００８と関連する機能を実行するための命令を保存するメモリ１０１０を含むことができる。メモリ１０１０の外にあるように示しているが、電子部品１００４、１００６、および１００８の１つまたは複数は、メモリ１０１０内にある可能性があることを理解されたい。
【００９０】
図１１を見ると、キャリア要求を受信し、付加的な考慮すべき事項に少なくとも部分的に基づいてこの要求を承諾するまたは拒否するシステム１１００が示されている。システム１１００は、例えば基地局、移動機器などの中にあることが可能である。図のように、システム１１００は、プロセッサ、ソフトウェア、またはその組合せ（例えば、ファームウェア）によって実装される機能を表すことができる機能ブロックを含む。システム１１００は、キャリア要求を承諾するまたは拒否することを容易にする手段の論理グループ１１０２を含む。論理グループ１１０２は、移動機器１１０４から追加キャリアの割当てを求める要求を受信するための手段を含むことができる。記載のように、これは、追加キャリアが供給可能であるかどうかを判断するための移動機器における何らかの処理に続いて送信されることが可能である。さらに論理グループ１１０２は、移動機器１１０６の加入レベルを受信するための手段を含むことができる。加入レベルは、例えば段階的なレベルとすることができ、追加キャリアの割当ては、加入レベルに基づくことが可能である。このように論理グループ１１０２はまた、加入レベル１１０８に少なくとも部分的に基づいて移動機器に追加キャリアを割り当てるための手段を含むことができる。この点において、例えばより高い加入レベルがより低い加入レベルより頻繁に追加キャリアを割り当てられることが可能である。１つの例では、これは加入レベルの各グループにキャリアの数を割り当てることによって実現可能である。別の例では、各レベルにおける加入者のキャリアの最大数が指定され、これに従うことが可能である。またシステム１１００は、電子部品１１０４、１１０６、および１１０８と関連する機能を実行するための命令を保存するメモリ１１１０を含むことができる。メモリ１１１０の外にあるように示しているが、電子部品１１０４、１１０６、および１１０８は、メモリ１１１０内にある可能性があることを理解されたい。
【００９１】
上述したものは、１つまたは複数の実施形態の例を含んでいる。当然ながら、上述の諸実施形態を説明する目的で構成要素または方法の考えられるあらゆる組合せを説明することは不可能であるが、当業者は、様々な実施形態のさらなる多くの組合せおよび並べ替えが可能であることを理解できるであろう。したがって、記載した諸実施形態は、添付の特許請求の範囲の趣旨および範囲内にあるこのような代替形態、変更形態、および変形形態をすべて包含するものとする。さらに、「含む」という用語が詳細な説明または特許請求の範囲のいずれかで使用される限りでは、このような用語は、「備える」という用語が請求項の移行語として使用されるときに解釈される「備える」と同様の意味で包含的であるとする。さらに、記載した態様および／または実施形態の要素は、単数形で記載されるまたは請求される場合があるが、単数形に限定することが明示的に表明されていない場合、複数形が意図されている。また、特に明記しない限り、いかなる態様および／または実施形態の全部または一部も、他の態様および／または実施形態の全部または一部と共に利用されることが可能である。
【００９２】
本明細書に開示する諸実施形態と関連して説明する様々な例示的論理、論理ブロック、モジュール、および回路は、汎用プロセッサ、ディジタル信号プロセッサ（ＤＳＰ）、特定用途用集積回路（ＡＳＩＣ）、フィールドプログラマブルゲートアレイ（ＦＰＧＡ）もしくは他のプログラマブルロジックデバイス、ディスクリートのゲートもしくはトランジスタロジック、ディスクリートのハードウェア部品、またはこれらの、本明細書に記載した機能を行うように設計されたいかなる組合せでも、実装または実行されることが可能である。汎用プロセッサは、マイクロプロセッサとすることができるが、代替的にはプロセッサは、いかなる従来のプロセッサ、コントローラ、マイクロコントローラ、または状態機械とすることもできる。プロセッサは、例えばＤＳＰとマイクロプロセッサの組合せ、複数のマイクロプロセッサ、ＤＳＰコアと連結した１つもしくは複数のマイクロプロセッサ、またはその他のこのような構成など、コンピューティング・デバイスの組合せとして実装されることも可能である。また、少なくとも１つのプロセッサは、上記のステップおよび／またはアクションの１つまたは複数を実行するように動作可能な１つまたは複数のモジュールを備えることができる。
【００９３】
さらに、本明細書の開示した態様と関連して記載した方法またはアルゴリズムのステップおよび／またはアクションは、直接ハードウェアで、プロセッサで実行されるソフトウェアモジュールで、またはこの２つの組合せで、体現されることが可能である。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている他のいかなる形態の記憶媒体にも、備わっている場合がある。例示的な記憶媒体は、プロセッサがこの記憶媒体から情報を読み取ること、およびこの記憶媒体に情報を書き込むことができるように、プロセッサに結合されることが可能である。代替的には記憶媒体は、プロセッサと一体化されている場合がある。さらに一部の態様では、プロセッサおよび記憶媒体は、ＡＳＩＣに備わっている場合がある。またＡＳＩＣは、ユーザ端末に備わっている場合もある。代替的にはプロセッサおよび記憶媒体は、ユーザ端末にディスクリート部品として備わっている場合がある。また一部の態様では、方法またはアルゴリズムのステップおよび／またはアクションは、機械可読媒体および／またはコンピュータ可読媒体上のコードおよび／または命令の１つまたは任意の組合せまたはセットとして、備わっている場合がある。
【００９４】
１つまたは複数の態様では、記載した機能は、ハードウェア、ソフトウェア、ファームウェア、またはこれらのいかなる組合せにも実装されることが可能である。ソフトウェアに実装される場合、機能は、コンピュータ可読媒体上に１つもしくは複数の命令またはコードとして格納される、または伝送されることが可能である。コンピュータ可読媒体は、コンピュータ記憶媒体と通信媒体とを共に含み、コンピュータ・プログラムを一方の場所からもう一方の場所へ転送しやすくするいかなる媒体をも含む。記憶媒体は、コンピュータによってアクセス可能であるいかなる利用可能な媒体であってもよい。一例としてであって、限定ではないが、このようなコンピュータ可読媒体は、ＲＡＭ、ＲＯＭ、ＥＥＰＲＯＭ、ＣＤ−ＲＯＭもしくは他の光ディスク記憶装置、磁気ディスク記憶装置もしくは他の磁気記憶装置、または所望のプログラムコード手段を命令もしくはデータ構造の形態で搬送するもしくは格納するために使用することができ、コンピュータでアクセスすることができる他のいかなる媒体も備えることができる。また、いかなる接続も、コンピュータ可読媒体と呼ばれることがある。例えば、ソフトウェアが、同軸ケーブル、光ファイバケーブル、ツイストペア、ディジタル加入者線（ＤＳＬ）、または赤外線、ラジオ波、およびマイクロ波などの無線技術を使用して、ウェブサイト、サーバ、または他のリモートソースから送信される場合、この同軸ケーブル、光ファイバケーブル、ツイストペア、ＤＳＬ、または赤外線、ラジオ波、およびマイクロ波などの無線技術が、媒体の定義に含まれる。本明細書で使用するディスク（diskおよびdisc）は、コンパクトディスク（compact disc、ＣＤ）、レーザーディスク（登録商標）（laser disc）、光ディスク（optical disc）、ディジタルバーサタイルディスク（digital versatile disc、ＤＶＤ）、フロッピー（登録商標）ディスク、およびブルーレイディスク（登録商標）（blue-ray disc）を含み、ディスク（disk）は通常データを磁気的に再生し、ディスク（disc）はレーザーを使用してデータを光学的に再生する。上記のものの組合せもまた、コンピュータ可読媒体の範囲内に含まれるものとする。
以下に本件出願当初の特許請求の範囲に記載された発明を付記する。
［１］  無線通信ネットワークにおいて１つまたは複数の追加キャリアを要求する方法であって、
１つまたは複数のキャリアを通じてアクセスポイントと通信することと、
通信パラメータのしきい値に対して１つまたは複数の通信パラメータの変化を検出することと、
前記検出された変化に少なくとも部分的に基づいて、１つまたは複数の追加キャリアを要求することと
を備える、方法。
［２］  前記１つまたは複数の通信パラメータが、前記アクセスポイントに伝えるためのデータを格納するバッファのレベルを備える、［１］に記載の方法。
［３］  前記バッファがプロトコル層にあり、前記１つまたは複数のキャリアを通じて伝送するためにアプリケーションからデータを受信する、［２］に記載の方法。
［４］  前記プロトコル層から前記バッファレベルをインターフェースを介して受信することをさらに備える、［３］に記載の方法。
［５］  前記バッファの前記レベルの前記しきい値が、移動機器ユーザの加入タイプと関連する、［２］に記載の方法。
［６］  前記１つまたは複数の通信パラメータが、現在の電力増幅器（ＰＡ）のヘッドルームをさらに備え、前記しきい値が、前記１つまたは複数の追加キャリアを要求するために必要とされる最小ＰＡヘッドルームである、［５］に記載の方法。
［７］  さらにその間は前記１つまたは複数の追加キャリアを要求することが禁止されるキャリア要求の障害時間と、現在の時間を比較することに少なくとも部分的に基づいて、前記アクセスポイントから１つまたは複数の追加キャリアを要求する、［５］に記載の方法。
［８］  前記キャリア要求の障害時間が、前記１つまたは複数の追加キャリアを求める先の要求に応じて、前記アクセスポイントによって指定される、［７］に記載の方法。
［９］  前記アクセスポイントから１つまたは複数の追加キャリアを要求することがさらに、現在使用されているキャリアの数を許容されるキャリアの最大数と比較することに少なくとも部分的に基づかれる、［７］に記載の方法。
［１０］  前記１つまたは複数の通信パラメータが、前記アクセスポイントと通信する際にアプリケーション層とプロトコル層とでそれぞれ測定された流入データレートと流出データレートとの間の比較を備える、［１］に記載の方法。
［１１］  前記流入および流出データレートが、現在のデータレートと過去のデータレートとの間の比較に少なくとも部分的に基づいて計算される、［１０］に記載の方法。
［１２］  前記比較のための前記しきい値が、移動機器ユーザの加入タイプに関連し、より高いレベルの加入者が、より低いレベルの加入者より低いしきい値の比較値に関連する、［１０］に記載の方法。
［１３］  前記アクセスポイントから前記１つまたは複数の追加キャリアを受信すること、前記アクセスポイントとのおよびその後の通信において前記１つまたは複数の追加キャリアを利用することをさらに備える、［１］に記載の方法。
［１４］  前記アクセスポイントと通信することが、ＥＶ−ＤＯネットワークを通じて行われる、［１］に記載の方法。
［１５］    少なくとも１つの割り当てられたキャリアを通じて基地局と通信する、
１つまたは複数の通信パラメータを監視して前記１つまたは複数の通信パラメータのしきい値に対する変化を検出する、
前記検出した変化に少なくとも部分的に基づいて前記基地局から追加キャリアの割当てを要求する
ように構成された、少なくとも１つのプロセッサと、
前記少なくとも１つのプロセッサに結合されたメモリと
を備える、無線通信装置。
［１６］  無線ネットワークを通じて追加キャリアを要求することを容易にする無線通信装置であって、
１つまたは複数の割り当てられたキャリアを通じてアクセスポイントと通信するための手段と、
関連するしきい値に対する１つまたは複数の通信パラメータの変化を検出するための手段と、
前記変化に少なくとも部分的に基づいて前記アクセスポイントから少なくとも１つの追加キャリアを要求するための手段と
を備える、無線通信装置。
［１７］  少なくとも１つのコンピュータが１つまたは複数のキャリアを通じてアクセスポイントと通信するようにするためのコードと、
前記少なくとも１つのコンピュータが前記通信パラメータのしきい値に対して１つまたは複数の通信パラメータの変化を検出するようにするためのコードと、
前記少なくとも１つのコンピュータが前記検出した変更に少なくとも部分的に基づいて前記アクセスポイントから１つまたは複数の追加キャリアを要求するようにするコードと
を備えるコンピュータ可読媒体
を備える、コンピュータ・プログラム製品。
［１８］  １つまたは複数のキャリアを通じてアクセスポイントと通信することを容易にするトランシーバと、
それぞれのしきい値との比較に少なくとも部分的に基づいて１つまたは複数の通信パラメータの変化を特定する通信パラメータ・エバリュエータと、
前記特定した変化に少なくとも部分的に基づいて前記アクセスポイントから追加キャリアを要求するキャリア・リクエスタと
を備える、装置。
［１９］  前記１つまたは複数の通信パラメータが、前記アクセスポイントに伝えるためのデータを格納するプロトコル層のバッファのレベルを備える、［１８］に記載の装置。
［２０］  前記バッファの前記レベルの前記それぞれのしきい値が、前記装置のユーザの加入タイプと関連する、［１９］に記載の装置。
［２１］  前記１つまたは複数の通信パラメータがさらに、現在の電力増幅器（ＰＡ）のヘッドルームを備え、前記それぞれのしきい値が前記１つまたは複数の追加キャリアを要求するために必要とされる最小ＰＡヘッドルームである、［１９］に記載の装置。
［２２］  前記通信パラメータ・エバリュエータがさらに、その間は前記１つまたは複数の追加キャリアを要求することが禁止されるキャリア要求の障害タイマの有効期限を確認する、［２１］に記載の装置。
［２３］  前記１つまたは複数の通信パラメータがさらに、現在使用されているキャリア数を備え、前記それぞれのしきい値が、前記アクセスポイントによって許容されるキャリアの最大数である、［２２］に記載の装置。
［２４］  前記１つまたは複数の通信パラメータが、前記アクセスポイントと通信している前記装置のアプリケーション層とプロトコル層とで測定された流入データレートと流出データレートとの間の比較を備える、［１８］に記載の装置。
［２５］  前記アプリケーション層から少なくとも前記流入データレートを受信するための移動体インターフェースをさらに備える、［２４］に記載の装置。
［２６］  前記通信パラメータ・エバリュエータが、現在および過去のデータレートに少なくとも部分的に基づいて前記流入および流出データレートを計算する、［２４］に記載の装置。
［２７］  前記比較のための前記それぞれのしきい値が、前記装置のユーザの加入タイプに関連し、より高いレベルの加入者がより低いレベルの加入者より低いしきい値に関連する、［２４］に記載の装置。
［２８］  無線通信ネットワークにおいて追加キャリアを割り当てることを容易にする方法であって、
移動機器から少なくとも１つの追加キャリアの割当てを求める要求を受信することと、
前記移動機器の加入レベルを特定することと、
前記加入レベルおよび利用可能なリソースに少なくとも部分的に基づいて前記移動機器に追加キャリアを割り当てることと
を備える、方法。
［２９］  前記移動機器に割り当てられたキャリアの数を特定することをさらに備える、［２８］に記載の方法。
［３０］  前記追加キャリアを割り当てることがさらに、割り当てられたキャリアの前記特定された数に少なくとも部分的に基づく、［２９］に記載の方法。
［３１］  逆方向リンクのチャネル上の前記移動機器のスループットを指定されたしきい値と比較することをさらに備える、［２８］に記載の方法。
［３２］  前記追加キャリアを割り当てることがさらに、前記比較に基づく、［３１］に記載の方法。
［３３］  前記指定されたしきい値が、前記加入レベルに関連する、［３２］に記載の方法。
［３４］  前記追加キャリアを通じて前記移動機器からその後の通信を受信することをさらに備える、［２８］に記載の方法。
［３５］  無線通信装置であって、
１つまたは複数の割り当てられたキャリアを通じて移動機器と通信し、
前記移動機器から追加キャリアの割当てを求める要求を受信し、
前記要求、前記移動機器の特定された加入レベル、および利用可能なリソースに少なくとも部分的に基づいて前記移動機器に追加キャリアを割り当てる
ように構成された少なくとも１つのプロセッサと、
前記少なくとも１つのプロセッサに結合されたメモリと
を備える、無線通信装置。
［３６］  １つまたは複数の移動機器に追加キャリアを割り当てるための無線通信装置であって、
移動機器から追加キャリアの割当てを求める要求を受信するための手段と、
前記移動機器の加入レベルを受信するための手段と、
前記加入レベルに少なくとも部分的に基づいて前記移動機器に追加キャリアを割り当てるための手段と
を備える、無線通信装置。
［３７］  少なくとも１つのコンピュータが、移動機器から少なくとも１つの追加キャリアの割当てを求める要求を受信するようにするためのコードと、
前記少なくとも１つのコンピュータが、前記移動機器の加入レベルを特定するようにするためのコードと、
前記少なくとも１つのコンピュータが、前記加入レベルおよび利用可能なリソースに少なくとも部分的に基づいて前記移動機器に追加キャリアを割り当てるようにするためのコードと
を備えるコンピュータ可読媒体
を備える、コンピュータ・プログラム製品。
［３８］  １つまたは複数の割り当てられたキャリアを通じて移動機器と通信し、前記移動機器から追加キャリアを求める要求を受信するトランシーバと、
前記移動機器の加入レベルを特定する加入レベル検出器と、
前記加入レベルおよび利用可能なリソースに少なくとも部分的に基づいて前記移動機器に追加キャリアを割り当てるキャリア・アロケータと
を備える、装置。
［３９］  前記キャリア・アロケータがさらに、前記移動機器に割り当てられたキャリアの数を特定する、［３８］に記載の装置。
［４０］  前記キャリア・アロケータが、割り当てられたキャリアの前記特定した数に少なくとも部分的にさらに基づいて前記追加キャリアを割り当てる、［３９］に記載の装置。
［４１］  逆方向リンクのチャネル上の前記移動機器のスループットを指定されたしきい値と比較するスループット・レベル検出器をさらに備える、［３８］に記載の装置。
［４２］  前記キャリア・アロケータが、前記比較に少なくとも部分的にさらに基づいて前記追加キャリアを割り当てる、［４１］に記載の装置。
［４３］  前記指定されたしきい値が、前記加入レベルに関連する、［４２］に記載の装置。
［４４］  前記トランシーバが、前記追加キャリアを通じて前記移動機器からその後の通信を受信する、［３８］に記載の装置。
【図１】
0005437252.tif 000007
【図２】
0005437252.tif 000008
【図３】
0005437252.tif 000009
【図４】
0005437252.tif 000010
【図５】
0005437252.tif 000011
【図６】
0005437252.tif 000012
【図７】
0005437252.tif 000013
【図８】
0005437252.tif 000014
【図９】
0005437252.tif 000015
【図１０】
0005437252.tif 000016
【図１１】
0005437252.tif 000017